(57)【要約】【課題】回収物の重量が真空掃除機に気密性不良をもたらさず、常に、ほぼ一定の気密性が得られるようにする。【解決手段】本体下部に台車部、本体上部に吸引機部を有し、吸引機部の下部に回収物を貯留する回収タンクを着脱式に装着した構成を有する真空掃除機において、吸引機部１４に設けたガイド部材１９の部分にて本体を構成している上下方向のフレーム１６に沿って上下移動可能に形成し吸引機部１４を回収タンク１５に対して接離可能に設け、吸引機部の荷重が回収タンクの装着部分に加わる状態とし、吸引機部の回収タンクに対する接離移動を補助するために伸縮式の加圧手段２０を用意し、上記加圧手段の一端を本体に、他端をガイド部材にそれぞれ回転可能に軸支することにより、本体とガイド部材を結合し、上記ガイド部材を上下方向へ移動させる操作ハンドルを前記加圧手段に取り付ける。【選択図】          図１
2008295783.tif 000002
【特許請求の範囲】
【請求項１】
本体下部に台車部、本体上部に吸引機部を有し、吸引機部の下部に回収物を貯留する回収タンクを着脱式に装着した構成を有する真空掃除機において、
吸引機部に設けたガイド部材の部分にて本体を構成している上下方向のフレームに沿って上下移動可能に形成することにより吸引機部を回収タンクに対して接離可能に設け、吸引機部の荷重が回収タンクの装着部分に加わる状態として、吸引機部の回収タンクに対する接離移動を補助するために伸縮式の加圧手段を用意し、上記加圧手段の一端を本体に、他端をガイド部材にそれぞれ回転可能に軸支することにより、本体とガイド部材を結合し、上記ガイド部材を上下何れかの方向へ移動させる操作のためのハンドルを前記加圧手段に取り付けた構成を有する回収タンクの着脱装置。
【請求項２】
加圧手段は、斜め上方への伸張により吸引機部を押し上げて回収タンクから離し、斜め下方への伸張により吸引機部を押し下げて回収タンクに接する関係をもって取り付けた構成を有している請求項１記載の真空掃除機における回収タンクの着脱装置。
【請求項３】
伸縮式の加圧手段は、一端部を本体に回転可能に軸支し他端のガイド溝にガイド部材の支軸を摺動可能に配置したリンク部材と、本体とガイド部材を結合し加圧方向へ常時付勢されている加圧器具を有している請求項１記載の真空掃除機における回収タンクの着脱装置。
【発明の詳細な説明】
【技術分野】
【０００１】
本発明は、本体下部に台車部、本体上部に吸引機部を有し、吸引機部の下部に回収物を貯留する回収タンクを着脱式に装着した構成を有する真空掃除機における回収タンクの着脱装置に関するものである。
【背景技術】
【０００２】
工業用の真空掃除機では、いわゆるごみに相当する回収対象物の範囲が非常に広く、多様な使用環境にも対応する必要がある。さらにまた、外部に露出した構造の回収タンクを備えていたり、外部から回収物を目視できるように透明な材料によって形成したものを使用したりと、様々な使用環境に応じて機能的な形態を備えているものが多い。例えば、特開２００５−２１１３５０号のものは多重サイクロン式吸引機構を備えた高性能の真空掃除機を開示しており、同号のものは吊り下げ式の回収タンクを装備しているため、回収タンクに対して掃除機本体の移動が可能であり、回収タンクを移動させなくて済む使用法が可能という利点を備えている。
【０００３】
しかしながら上記のような構造を有する真空掃除機では、回収タンクを装着する際に上方へ引き上げたり押し上げたりしなければならない。また、取り外しの際には、回収タンク内の回収物の重量によって大きな影響を受け、大重量の場合には支える準備も必要になる。回収タンクを掃除機本体に固定する着脱機構にしても、大重量に耐えねばならないことを想定して強化され、大型化する傾向を招き、複雑化を免れず、耐久性の問題も考慮しなければならない。ごみの比重と回収量を含めて、着脱機構を設計しなければならないからである。加えて、回収タンクの荷重に耐える必要上回収タンクの荷重が気密性に影響するという問題を生じ、重くなるほど気密度不良となり、吸引力を低下させるので、甚だしい場合には満足な清掃作業を行なえないことになる。
【０００４】
【特許文献１】特開２００５−２１１３５０号
【発明の開示】
【発明が解決しようとする課題】
【０００５】
本発明は前記の点に着目してなされたものであり、その課題は、回収物の重量が真空掃除機に気密性不良をもたらさず、常に、ほぼ一定の気密性が得られるようにすることである。また本発明の他の課題は、回収タンクの着脱を容易化するとともに、作業者の負担を軽減することである。また、本発明の他の課題は、回収物の荷重を考慮せずに済むことにより構造設計の簡略化を可能にすることである。
【課題を解決するための手段】
【０００６】
前記の課題を解決するため、本発明は、本体下部に台車部、本体上部に吸引機部を有しており、吸引機部の下部に回収物を貯留する回収タンクを着脱式に装着した構成を有する真空掃除機において、吸引機部に設けたガイド部材の部分にて本体を構成している上下方向のフレームに沿って上下移動可能に形成することにより吸引機部を回収タンクに対して接離可能に設け、吸引機部の荷重が回収タンクの装着部分に加わる状態として、吸引機部の回収タンクに対する接離移動を補助するために伸縮式の加圧手段を用意し、上記加圧手段の一端を本体に、他端をガイド部材にそれぞれ回転可能に軸支することにより、本体とガイド部材を結合し、上記ガイド部材を上下何れかの方向へ移動させる操作のためのハンドルを前記加圧手段に取り付けた構成を有するものとするという手段を講じたものである（請求項１記載の発明）。
【０００７】
本発明の対象となる真空掃除機は、本体下部に台車部、本体上部に吸引機部を有し、吸引機部の下部に回収物を貯留する回収タンクを着脱式に装着した構成を有するタイプのものである。このようなタイプの真空掃除機において、吸引口は下向きであり、使用する回収タンクは上面が開口しているバケット型のものである。
【０００８】
本発明において、吸引機部にはガイド部材が設けられており、本体は構成部材として上下方向のフレームを有しており、そのフレームにガイド部材をフレームに沿って上下移動可能に形成し、この上下移動により、回収タンクに対して吸引機部を接離可能に設けている。本体は、そのフレームにガイド部材を介して吸引機部を取り付けるものであるため、吸引機部を安定に支えられる強度を有していなければならないことを必要とするが、しかし、回収タンクを吊り下げることは既に必要としないので、前記従来機における構造設計のように回収物の荷重を考慮する必要はなく、構造設計の簡略化が可能になる。ガイド部材はフレームを例えばガイドレールとしてそれに沿って移動する。
【０００９】
吸引機部の回収タンクに対する接離、つまり吸引機部の回収タンクへの接触と回収タンクからの離隔の移動を補助するために、伸縮式の加圧手段を用意し、その一端を本体に、他端をガイド部材に回転可能に軸支する。従って、加圧手段は、本体とガイド部材を結合する。伸縮式の加圧手段は、吸引機部の荷重を負担するとともに、それを上方へ押し上げ或いは押し下げる力の補助となるもので、伸張方向への付勢力を有する何らかのばねのような付勢手段を備えている。
【００１０】
上記加圧手段は、斜め上方への伸張により吸引機部を押し上げて回収タンクから離し、斜め下方への伸張により吸引機部を押し下げて回収タンクに接する関係をもって取り付ける構成を有しているものであることが望ましい（請求項２記載の発明）。このような加圧手段は、斜め上方を向いているときにその垂直方向分力でガイド部材を押し上げ、また、斜め下方を向いているときに逆向きの垂直方向分力でガイド部材を押し下げるように作用する。仮に、回収タンクの装着部分に加わる吸引機部の荷重が十分に大きい場合には、敢えて押し下げる必要はなく、押し上げる作用をゼロにする程度でもよい。
【００１１】
伸縮式の加圧手段として、一端部を本体に軸支し他端のガイド溝にガイド部材の支軸を摺動可能に配置したリンク部材と、本体とガイド部材を結合し加圧方向へ常時付勢されている加圧器具とを有しているものであることが望ましい（請求項３記載の発明）。リンク部材は主として本体と吸引機部との結合強度を負担し、加圧器具は吸引機部を上方或いは下方へ押し動かす動力を提供する。加圧器具としては、いわゆるガススプリングと呼ばれるピストンシリンダー装置や、ガス以外のばね手段を内蔵した同種装置を使用することが望ましい。
【００１２】
上記ガイド部材を上下何れかの方向へ移動させる操作のためのハンドルを前記加圧手段に取り付ける。加圧手段が上記のようにリンク部材を備えている場合、ハンドルは強度を負担できるリンク部材に取り付けるものとする。図示説明している訳ではないが、加圧手段が加圧器具のみから成る場合には加圧器具にハンドルを取り付けることも可能である。
【発明の効果】
【００１３】
本発明は以上のように構成されかつ作用するものであるから、吸引機部の荷重が回収タンクの装着部分に加わる状態にて吸引機部を回収タンクに対して接離可能に設けているので、回収物の重量が真空掃除機に気密性不良をもたらさず、常に、ほぼ一定の気密性が得られる。また、本発明によれば、回収タンクを持ち上げたり、回収物の荷重を考慮せずに取り外したりすることができるので、回収タンクの着脱が容易化し、作業者の負担を軽減することができる。また、本発明によれば、回収物の荷重を考慮せずに済むことにより、構造設計の簡略化が達成される。
【発明を実施するための最良の形態】
【００１４】
以下図示の実施形態を参照しながら本発明をより詳細に説明する。図１は、本発明に係る回収タンクの着脱装置を適用した真空掃除機１０を示しており、真空掃除機１０は本体１１の下部に前後の車輪１２、１３から成る台車部、本体１１の上部に吸引機部１４を有し、吸引機部１４の下部に回収物を貯留する回収タンク１５を着脱式に装着した構成を有している。
【００１５】
例示した本体１１は、吸引機部１４と回収タンク１５の左右と背面及び底部をほぼ囲む枠状構造のもので、吸引機部１４と回収タンク１５の左右に位置するほぼ上下方向のフレーム１６を有している。また、例示した本体１１は、底部に回収タンクを載置する載置板１７を備えており、載置板１７には、開放した前部１７ａから回収タンク１５を押し込んだときに、その左右と後部の三方にて回収タンク１５を受け止め、吸引機部１４の下方の定位置に配置する位置決め手段となる立ち上がり部１７ｂ、１７ｃ、１７ｄが設けられている（図２及び図４を参照）。
【００１６】
吸引機部１４はその左右両側に支持部１８を有し、その支持部に１８にガイド部材１９がそれぞれ設けられている。ガイド部材１９は、フレーム１６の外側を囲むほぼコの字型の横断面形状を有しており、支持部との間で上下方向のフレーム１６を抱持し、そのフレーム１６に沿って上下移動可能に形成している。この上下移動により、吸引機部１４は回収タンク１５に対して接離可能に設けられている（図３及び図４を参照）。なお本体１１は、吸引機部１４を安定に支えられる強度を有するように設計すれば良いので、構造設計が簡略化される。
【００１７】
吸引機部１４を下方へ移動させて回収タンク１５の上方に開口した口縁部に接触させ、かつまた、回収タンク１５から吸引機部を上方へ移動させ口縁部から離隔させる移動を補助するために、伸縮式の加圧手段２０が用意されている。例示した加圧手段２０は、斜め上方への伸張により吸引機部１４を押し上げて回収タンク１５から離し、斜め下方への伸張により吸引機部１４を押し下げて回収タンク１５の口縁部に接する関係となるように取り付けられている。
【００１８】
例示した伸縮式の加圧手段２０は、本体側取り付け板１１ａに一端部側の軸２１ａにて回転可能に軸支し、他端のガイド溝２２にガイド部材１９との接続支軸２３を摺動可能に配置した、主として本体と吸引機部との結合強度を負担するリンク部材２４と、本体１１とガイド部材１９を結合し加圧伸張方向へ常時付勢されている加圧器具２５とを有して構成されている。加圧器具２５は吸引機部１４を上方或いは下方へ押し動かす動力を提供するもので、例示の場合いわゆるガススプリングと呼ばれるピストンシリンダー装置を使用している。なお加圧器具２５は一端部の軸２１ｂにて本体１１に回転可能に軸支されている。
【００１９】
上記ガイド部材１９を上下両方向へ移動させる操作のためにハンドル２６を前記加圧手段２０のリンク部材２４に取り付ける。例示の場合、ハンドル２６はリンク部材２４の前方の接続支に装着された状態では本体上枠部２７に近付き、吸引機部１４が回収タンク１５から離隔した状態では後部下方へ離れるように設計されている。各図中、２８は回収タンクの取っ手、２９は吸引ノズルの接続口を示すものであり、例示の吸引機部１４は、多重サイクロン式吸引機構を備えている。
【００２０】
このような構成を有する本発明の装置１０では、図６Ａに示す吸引機部１４が回収タンク１５に接続した状態では、吸引機部１４の荷重が回収タンク１５の上方に開口した口縁部１５ａにかかり、図５に示されているように、サイクロン３０の縁に設けられたシール部材３１において、接続部における気密性を得ている。すなわち、本発明の場合には吸引機部１４による荷重と、斜め下方を向いている加圧器具２５による逆向きの垂直方向分力と、ガイド部材１９を押し下げる内部の負圧により気密性が保たれる。よって、吸引機部１４と回収タンク１５をバックルなどで結合する必要がない。
【００２１】
一方、回収タンク１５を取り出すときには、図６Ｂに示すようにハンドル２６を押し下げることにより加圧手段２０が伸張するとともに回転して斜め上向きになり、加圧器具２５の垂直方向分力でガイド部材１９を押し上げるように作用するので、軽い操作力で吸引機部１４を上昇させることができる。かくして、吸引機部１４は回収タンク１５から充分に離れることになり、回収タンク１５を載置板１７上から手前に引き出しやすくなる。
【図面の簡単な説明】
【００２２】
【図１】本発明に係る真空掃除機における回収タンクの着脱装置の一例を示す側面図。
【図２】同上の装置を示す平面図。
【図３】同じく要部拡大図。
【図４】同じく平面拡大図。
【図５】同じく側面拡大図。
【図６】本発明装置の作用を示すもので、Ａは吸引機部と回収タンクの接続状態、Ｂは吸引機部と回収タンクの離隔状態を示す説明図。
【符号の説明】
【００２３】
１０  真空掃除機
１１  本体
１２、１３  車輪
１４  吸引機部
１５  回収タンク
１６  フレーム
１７  載置板
１８  支持部
１９  ガイド部材
２０  加圧手段
２１ａ、２１ｂ  軸
２２  ガイド溝
２３  接続支軸
２４  リンク部材
２５  加圧器具
２６  ハンドル
２７  本体上枠部
２８  取っ手
２９  ノズル接続口
３０  サイクロン
【図１】
2008295783.tif 000003
【図２】
2008295783.tif 000004
【図３】
2008295783.tif 000005
【図４】
2008295783.tif 000006
【図５】
2008295783.tif 000007
【図６】
2008295783.tif 000008